(57)【要約】【課題】  プリフォームを正しい搬送姿勢に整列させて延伸ブロー成形機に供給し、生産性の向上を図る。【解決手段】      プリフォーム整列搬送装置であって、箱状の搬送路と前記搬送路内の２本の搬送用ロールはプリフォームの搬送方向に向かって下流側に傾斜しているとともに、前記２本の搬送用ロールは、搬送するプリフォームの胴体部を挿入するが頭部のサポートリング部を係止する間隔を有し、互いに反対方向に回転するように水平に配設されており、前記２本の搬送用ロールの上方には、プリフォームを２本の搬送用ロールの間に案内するガイドレールを配置してなり、前記搬送路には、不正な搬送姿勢のプリフォームを正しい搬送姿勢に強制するプリフォーム整列部と、不正な搬送姿勢のプリフォームを除去するプリフォーム除去部と、２本の搬送用ロールの回転速度を調整するロール回転調整部が設けられている。【選択図】        図２
2015112840.tif 000002
【特許請求の範囲】
【請求項１】
プリフォームを同一方向に向けた正しい搬送姿勢に整列させて延伸ブロー成形機に搬送するようにしたプリフォーム整列搬送装置であって、
並列した側壁を有し底部が開口した箱状の搬送路の中に２本の搬送用ロールが配設されており、前記搬送路と２本の搬送用ロールはプリフォームの搬送方向に向かって下流側に傾斜しているとともに、前記２本の搬送用ロールは、搬送するプリフォームの胴体部を挿入するが頭部のサポートリング部を係止する間隔を有し、互いに反対方向に回転するように水平に配設されており、
前記２本の搬送用ロールの上方には、プリフォームを２本の搬送用ロールの間に案内し、内側を下向きに傾斜させたガイドレールを対向するように配置しており、
前記搬送路の上部側には、不正な搬送姿勢のプリフォームを正しい搬送姿勢に矯正するプリフォーム整列部が設けられており、前記プリフォーム整列部はプリフォームの搬送方向に回動する邪魔板によって形成されており、
前記搬送路の中間部には、不正な搬送姿勢のプリフォームを除去するプリフォーム除去部が設けられており、前記プリフォーム除去部は、プリフォームの有無を検知する光電センサと前記光電センサの対向側に配置された反射板とによる検知手段と、エアーを噴射するエアーブローノズルによる排出手段とからなり、
前記搬送路の下部側には、２本の搬送用ロールの回転速度を調整するロール回転調整部が設けられており、前記ロール回転調整部は、低速検知センサと高速検知センサとロール停止検知センサを有していることを特徴とするプリフォーム整列搬送装置。
【請求項２】
プリフォーム整列部には、２本の搬送用ロールの下方において搬送方向前方から上流側に向かって噴射するエアーブローノズルを配置したことを特徴とする請求項１に記載のプリフォーム整列搬送装置。
【請求項３】
前記搬送路のプリフォーム除去部を設けた範囲に、除去されたプリフォームを回収する回収箱が設けられており、搬送路と回収箱との間には、搬送路の上部を切り欠いて傾斜板を載置し、前記傾斜板の一方の側端が搬送用ロールに近接し、他方の側端がプリフォーム回収箱の内側に達していることを特徴とする請求項１又は請求項２に記載のプリフォーム整列搬送装置。
【請求項４】
プリフォーム整列搬送装置の上端部側には、プリフォーム供給装置が配設されており、前記プリフォーム供給装置は、ベルトコンベアとシューターとベルトコンベアとが下流側に向かって配設されており、シューターには、満杯検知センサ、高速検知センサ、低速検知センサ、及び下限検知センサが下流側に向かって順に配設されていることを特徴とする請求項１又は請求項２に記載のプリフォーム整列搬送装置。
【請求項５】
前記プリフォーム整列搬送装置の下端部側には、延伸ブロー成形機へのプリフォーム供給量規制装置が配設されており、前記プリフォーム供給量規制装置は、２本の搬送用ロールからプリフォームを受け取るレールと、前記レールからのプリフォームの頭部を挟み込んで送り出すことができるように配設された対の能力ローラとからなることを特徴とする請求項１又は請求項２に記載のプリフォーム整列搬送装置。
【発明の詳細な説明】
【技術分野】
【０００１】
この発明は、ブロー成形用プリフォームをブロー成形機に搬送する際に、プリフォームを正しい姿勢で搬送するプリフォームの整列搬送装置に係り、詳しくは、プリフォーム搬送ラインにおいて正しい姿勢でないプリフォームを正しい搬送姿勢に矯正すると共に、矯正できないプリフォームを瞬時に取り除き、常にプリフォームを正しい搬送姿勢で供給し、さらに、設定された所定量のプリフォームを供給することができるプリフォームの整列搬送装置に関するものである。
【背景技術】
【０００２】
従来、ペットボトルなどの中空容器は、合成樹脂を溶融させて予め中間体としてのプリフォームを成形し、このプリフォームにエアーを吹き込んで延伸ブロー成形することによって成形されている。通常、延伸ブロー成形は、大きく分けると射出成形によってプリフォームを成形する射出成形工程と、プリフォームを加熱延伸させて所定の形状に成形するブロー成形工程とからなる。
【０００３】
そして、上記射出成形されたプリフォームを次工程の延伸ブロー成形工程に移送するときには、大きなコンテナーに箱詰めされる。箱詰めされたプリフォームを延伸ブロー成形工程に供給するには、プリフォームを正しい姿勢で供給するためのプリフォーム搬送装置が用いられる。プリフォームは各工程内或いは工程間において種々の手段により搬送或いは移送されるが、延伸ブロー成形工程には正しい姿勢で供給されなければならない。
【０００４】
プリフォームを正しい姿勢でブロー成形工程に搬送するために種々の手段が用いられており、その１つの搬送手段として、平行に配設した２本の回転ロールを搬送方向に向かって下向きに傾斜させるとともに、互いに反対方向に回転させることによって搬送するプリフォームの搬送装置が用いられる。２本の回転ロールの間隔は、プリフォームの胴部の外径寸法よりも僅かに幅広く形成されており、頭部のサポートリングが２本の回転ロールの間に係止されるように配設されている。
【０００５】
そして、プリフォームを搬送するときは、プリフォームの胴部を２本のロールの間に差し込み、頭部のサポートリングを２本のロール間に係止させてプリフォームを垂下させる。傾斜した２本のロールを互いに反対外側に回転させると、プリフォームはサポートリングの部分が回転ロールの間を滑りながら下流へと搬送される。２本のロールによる搬送途中において、正しく垂下されていないプリフォームを取り除くことによって、正しい姿勢のプリフォームのみを次工程の延伸ブロー成形機に供給する。
【０００６】
このようなプリフォームの搬送装置において、正しい姿勢で搬送されていないプリフォームは延伸ブロー成形機に供給される前に取り除かれなければならない。正しい姿勢で搬送されていないなプリフォームを選択的に取り除く方法として、排出ホイールを用いることが提案されている。
【０００７】
このような、プリフォームの搬送装置として、例えば、特表２００７−５１５３５９号公報の「不正な位置をとっている縦方向のプリフォームを選択的に除去するための装置を備えたプリフォーム供給装置」、特表２００７−５１６１１５号公報記載の「不正な位置をとっているプリフォームを排出するための手段を有する、特に容器用ブロー器械のプリフォーム搬送システム」がある。
【先行技術文献】
【特許文献】
【０００８】
【特許文献１】特表２００７−５１５３５９号公報
【特許文献２】特表２００７−５１６１１５号公報
【発明の概要】
【発明が解決しようとする課題】
【０００９】
上記特表２００７−５１５３５９号公報に記載のプリフォームの供給装置は、２本の回転ロールの水平方向の上面よりも上方に飛び出しているプリフォーム、例えば、２本の回転ロールの上に横たわっているプリフォームは、水平に配設した回転軸にへらを突設し、このへらを回転させることによって除去するように構成されている。
【００１０】
また、プリフォームが、２本の回転ロールの間にロールの軸方向と同一方向に挟まれた状態で横たわっている場合には、ロールの水平方向の上面より突出することがないから、前記回転するへらによっては除去することができない。そこで、２本の回転ロールの下流側に搬送レールを配設し、この搬送レールの一方側の一部を水平に可動する可動レールとすることによって、軸方向に横たわっているプリフォームをセンサにより検知したときに、前記可動レールを外側に水平にスライドさせることによってレール間を広げて落下させる構成とされている。
【００１１】
しかしながら、前記回転するへらによりロール上面のプリフォームを弾き飛ばして除去する場合には、プリフォームを傷つけるおそれがある。また、可動レールを外側にスライドさせてプリフォームを落下させる場合には、上方から搬送されてくるプリフォームを一時停止させなければならない。プリフォームの搬送を一時的に停止させることは、延伸ブロー成形機への供給量にムラが生じ、設定された所定時間に所定量を供給することができない。延伸ブロー成形機には、常に所定時間に所定量のプリフォームを供給することが求められている。
【００１２】
また、上記特表２００７−５１６１１５号公報に記載のプリフォーム供給システムは、横たわっているプリフォームを除去するために、横方向に延びている軸によって回転する排出ホイールとプリフォームのバランスを失わせる持ち上げる手段を備えている。前記持ち上げる手段は、横方向の断面がほぼＬ字形状で、レールの平坦な上面に平行に固定されている。プリフォームが、前記持ち上げる手段に当接すると片側が持ち上げられてバランスを失い供給レール上から落下することになる。
【００１３】
前記排出ホイールによりプリフォームを除去する構成においては、特表２００７−５１５３５９号公報に記載のプリフォームの供給装置と同様に、プリフォームを傷つけるおそれがある。また、横たわっているプリフォームを持ち上げる手段により除去する構成においては、必ずしもプリフォームの片側が持ち上げられることなく単に位置がずれたり、レールの間に縦方向に挟まった状態となりレールから落下しないおそれがある。
【００１４】
さらに、２本の回転ロールに挟まれているプリフォームが、そのまま下流のレールに供給されてそのままレールの間に挟まった状態で搬送されてしまうという問題がある。また、プリフォームが、排出ホイールや持ち上げる手段により除去されたとしても、除去されたプリフォームの前後には間隔が空くことになり、延伸ブロー成形機に所定の間隔で供給することができないという問題がある。
【００１５】
この発明はかかる現況に鑑みてなされたもので、延伸ブロー成形機への搬送路の上流側において不正な姿勢のプリフォームを除去すると共に、所定時間に所定量を供給することができるプリフォームの整列搬送装置を提供する。また、プリフォーム間の間隔を開けることなく所定時間に所定量のプリフォームを供給することができるプリフォームの整列搬送装置を提供することを目的とする。
【課題を解決するための手段】
【００１６】
この発明は上記目的を達成するために次のような構成とした。即ち、この発明に係るプリフォームの整列搬送装置は、
プリフォームを同一方向に向けた正しい搬送姿勢に整列させて延伸ブロー成形機に搬送するようにしたプリフォーム整列搬送装置であって、
並列した側壁を有し底部が開口した箱状の搬送路の中に２本の搬送用ロールが配設されており、前記搬送路と２本の搬送用ロールはプリフォームの搬送方向に向かって下流側に傾斜しているとともに、前記２本の搬送用ロールは、搬送するプリフォームの胴体部を挿入するが頭部のサポートリング部を係止する間隔を有し、互いに反対方向に回転するように水平に配設されており、
前記２本の搬送用ロールの上方には、プリフォームを２本の搬送用ロールの間に案内し、内側を下向きに傾斜させたガイドレールを対向するように配置しており、
前記搬送路の上部側には、不正な搬送姿勢のプリフォームを正しい搬送姿勢に矯正するプリフォーム整列部が設けられており、前記プリフォーム整列部はプリフォームの搬送方向に回動する邪魔板によって形成されており、
前記搬送路の中間部には、不正な搬送姿勢のプリフォームを除去するプリフォーム除去部が設けられており、前記プリフォーム除去部は、プリフォームの有無を検知する光電センサと前記光電センサの対向側に配置された反射板とによる検知手段と、エアーを噴射するエアーブローノズルによる排出手段とからなり、
前記搬送路の下部側には、２本の搬送用ロールの回転速度を調整するロール回転調整部が設けられており、前記ロール回転調整部は、低速検知センサと高速検知センサと能力ローラ停止検知センサを有している
ことを特徴とする。
【００１７】
搬送路のプリフォーム除去部を設けた範囲に、除去されたプリフォームを回収する回収箱が設けられており搬送路と回収箱の間には、搬送路の上部を切り欠いて傾斜板を設け、前記傾斜板の一方の側端が搬送用ロールに近接し、他方の側端がプリフォーム回収箱の内側に達していることが好ましい。
【００１８】
前記プリフォーム整列搬送装置の上端部側には、プリフォーム供給装置が配設されており、前記プリフォーム供給装置は、ベルトコンベアとシューターとベルトコンベアとが下流側に向かって配設されており、シューターには、満杯検知センサ、高速検知センサ、低速検知センサ、及び下限検知センサが下流側に向かって順に配設する構成とすることができる。
【００１９】
前記プリフォーム整列搬送装置の下端部側には、延伸ブロー成形機へのプリフォーム供給量規制装置が配設されており、前記プリフォーム供給量規制装置は、２本の搬送用ロールからプリフォームを受け取るレールと、前記レールからのプリフォームの頭部を挟み込んで送り出すことができるように配設された対の能力ローラとによって構成することができる
【発明の効果】
【００２０】
この発明に係るプリフォーム整列搬送装置によれば、対向して配置されているガイドレールによって雑然と供給されたプリフォームを２本の搬送用ロールの間に案内して整列させることができる。また、プリフォーム整列部における邪魔板によって正しい搬送姿勢でないプリフォームを２本の搬送用ロールの間に落とし込んで正しい搬送姿勢に矯正することができる。さらに、プリフォーム除去部によって不正な搬送姿勢のプリフォームを除去することができるから、延伸ブロー成形機には正しい姿勢のプリフォームのみを供給することができる。
【００２１】
また、搬送路のプリフォーム除去部を設けた範囲に回収シュートを設けた場合には、プリフォームを回収することにより再度プリフォーム整列搬送装置に供給することができる。また、プリフォーム整列搬送装置の上端部側にプリフォーム供給装置を配設した場合には、プリフォームをプリフォーム整列搬送装置に適量ずつ供給することが可能である。
【００２２】
また、プリフォーム整列搬送装置の下端部側に延伸ブロー成形機へのプリフォーム供給量規制装置を配設した場合には、設定された量のプリフォームを安定した状態で供給することができる。
【図面の簡単な説明】
【００２３】
【図１】プリフォームの整列搬送装置を含むプリフォーム搬送システムの全体を示す説明用側面図である。
【図２】プリフォームの整列搬送装置の一部を省略した説明用側面図である。
【図３】プリフォームの整列搬送装置の一部を省略した説明用平面図である。
【図４】プリフォームの能力シューターを示す説明用側面図である。
【図５】入口シューターと整列搬送装置との連結部を示す説明用側面図である。
【図６】図２Ａ−Ａ部における断面図である。
【図７】同じく説明用上面図である。
【図８】プリフォームの搬送時の姿勢を説明する説明図である。
【図９】プリフォームの搬送時の他の姿勢を示す説明図である。
【図１０】プリフォームの整列ガイド板と邪魔板を示すプリフォーム整列搬送装置の断面図である。
【図１１】不正な搬送姿勢のプリフォームを矯正する検知装置とエアーブローノズルを示す説明用断面図である。
【図１２】不正な姿勢のプリフォームを取り除くセンサ部を示す平面図である。
【図１３】同じくプリフォームのセンサ部を示す断面図である。
【図１４】センサの配置と回収シュートを示す断面上面図である。
【図１５】センサの配置を示す説明用断面図である。
【図１６】同じくエアーノズルの配置を示す説明用側面図である。
【図１７】プリフォームの搬送速度を調節するセンサ部の説明用側面図である。
【図１８】プリフォーム供給量規制装置の説明図である。
【図１９】同じくプリフォーム供給量規制装置における能力ローラの断面図である。
【図２０】同じく平面図である。
【発明を実施するための形態】
【００２４】
以下に、図面に基づいて、プリフォーム搬送システムにおけるプリフォームの整列搬送装置の実施形態について説明する。まず、プリフォーム搬送システムの全体について説明すると、プリフォーム搬送システムは、プリフォームの保管庫から搬出されたコンテナーからのプリフォームを供給するプリフォーム搬送部１と、プリフォームを上方へ搬送する桟付ベルトコンベア２と、プリフォーム整列搬送装置に雑然と供給するプリフォーム供給装置３と、プリフォーム供給装置３からのプリフォームを同一方向に向けた正しい姿勢に整列させて搬送するプリフォーム整列搬送装置４と、プリフォーム整列搬送装置４からのプリフォームを所定の間隔で延伸ブロー成形機に送るプリフォーム供給量規制装置５を備えている。
【００２５】
前記プリフォーム搬送部１は、プリフォーム保管庫に保管されているプリフォームを収納したコンテナーを載置して反転させるコンテナー反転機構１１と、コンベア装置１２とからなる。前記コンテナー反転機構１１は、コンテナーを保持するボックス型収納枠体１１ａの一端上部に回転軸１１ｂが設けられており、回転軸１１ｂを中心に反転するように形成されている。収納枠体１１ａが反転すると、保持されたコンテナーの開口部が下向きに回転し、プリフォームをコンベア装置１２の上端部に供給する。
【００２６】
前記コンベア装置１２は、階段状に配置されたベルトコンベアであり、プリフォームが供給される受入コンベア１２ａ、上段コンベア１２ｂ、中段コンベア１２ｃ、下段コンベア１２ｄと階段状に配置されおり、前記各コンベアは下流に向かって順次搬送速度が速くなるように配設されている。プリフォームは、下段コンベア１２ｄから水平コンベア１２ｅへと受け渡され、前記水平コンベア１２ｅ上のプリフォームが、下流に配置されたベルトC/V１３に落とし込まれる。
【００２７】
前記ベルトC/V１３から搬送されたプリフォームは、桟付ベルトコンベア２によって救い上げられ、上方のプリフォーム供給装置３へと搬送される。前記桟付ベルトコンベア２は、他の搬送手段に変更することは可能である。
【００２８】
プリフォーム供給装置３は、前記桟付ベルトコンベア２でベルトC/V１３からすくい上げて搬送されてきたプリフォームをプリフォーム整列搬送装置４に適当量ずつ供給するように供給量を調節可能に構成されている。プリフォーム供給装置３は、図４に示すように、桟付ベルトコンベア２から落下するプリフォームを受け入れて搬送するベルトコンベア３１と、シューター３２と、プリフォーム整列搬送装置４に落とし込むベルトコンベア３３とからなる。前記ベルトコンベア３１は、モータ３４によって駆動される。
【００２９】
シューター３２は、下流側に向かって傾斜しており、下流から上流に向かって、順次、下限検知センサ３２ａ、高速検知センサ３２ｂ、低速検知センサ３２ｃ、満杯検知センサ３２ｄが設けられている。
【００３０】
シューター３２の下流側に配設されたベルトコンベア３３は、モータ３５によって駆動され、常に一定量のプリフォームを搬送するように設定されている。シューター３２とベルトコンベア３３との間には、一定量のプリフォームがバッファとして滞留している。
【００３１】
前記モータ３５は、シューター３２に設けられたセンサによって回転速度が調節されない。シューター３２の高速検知センサ３２ｂでバッファ量が検知され、プリフォームの供給量が少ないと判断されたときはモータ３４を高速回転させる。シューター３２の低速検知センサ３２ｃでバッファ量が検知され、供給量が多いと判断されたとモータ３４を低速回転させるように設定されている。
【００３２】
ベルトコンベア３１から落とし込まれたプリフォームがシューター３２を滑り落ちて、高速検知センサ３２bを検知すると、モータ３５が作動する。モータ３５の作動によってベルトコンベア３３のベルトが回転してプリフォームをプリフォーム整列搬送装置へと搬送する。プリフォームのバッファが、シューター３２の下限検知センサ３２aが切れると、モータ３５の回転を停止。
【００３３】
さらに、シューター３２におけるプリフォームのバッファが、満杯検知センサ３２ｄに達すると、満杯検知センサ３２ｄの検知によってモータ３４の可動を停止させる。このように、プリフォーム供給装置３においては、プリフォーム整列搬送装置４へのプリフォームの供給量を一定範囲となるように調節される。プリフォーム供給装置３から供給されたプリフォームは、延伸ブロー成形機に正しい姿勢で送り込まれるように、プリフォーム整列搬送装置４でプリフォームの姿勢が整いられる。
【００３４】
次に、前記プリフォーム整列搬送装置４について説明する。プリフォーム整列搬送装置４の全体図が図２及び図３に示されている。プリフォーム整列搬送装置４は、プリフォーム導入部４１、プリフォーム整列部４２、プリフォーム除去部４３、及びロール回転調整部４４を備えている。
【００３５】
まず、プリフォーム整列搬送装置４を構成する搬送路４５について説明する。並列した側壁を有し底部が開口した箱状の搬送路４５の中に２本の搬送用ロール４５ｂ、４５ｂが配設されている。前記搬送路４５は、下流側に向かって下向きに傾斜しており、前記２本の搬送用ロール４５ｂ、４５ｂも同様に傾斜して配設されている。前記搬送用ロール４５ｂ、４５ｂの間には所定の間隔が設けられている。
【００３６】
搬送用ロール４５ｂ、４５ｂの間隔は、図８〜図１４に示すように、プリフォームの胴体部を挿入することができるが、首部が係止する寸法に配設されている。前記２本の搬送用ロール４５ｂ、４５ｂには、タイミングプーリ４５ｃが取り付けられており、ギヤードモータ４５ｄのタイミングプーリ４５ｅと前記タイミングプーリ４５ｃと水平に設けられたタイミングプーリ４５ｆとの間に巻回されているタイミングベルト４５ｇを介して回転される。
【００３７】
前記搬送用ロール４５ｂ、４５ｂは、互いに反対方向に回転し、実施形態では互いに外向きに回転するように構成されている。なお、搬送用ロール４５ｂ、４５ｂは、それぞれ一体ものであってもよいが、カップリングを介して連結されたものであってもよい。連結する場合には、カップリングの連結位置を対向する位置ではなく、互いに搬送用ロール４５ｂ、４５ｂの軸方向にずらすことが好ましい。
【００３８】
前記搬送用ロール４５ｂ、４５ｂの上方には、図６、図９に示されているように、ガイドレール４５ｈが内側に向かって下向きに配設されている。前記ガイドレール４５ｈは、プリフォーム供給装置３から供給されたプリフォームを搬送用ロール４５ｂ、４５ｂの間に落とし込むガイド板であって、その内側先端は搬送用ロール４５ｂ、４５ｂの上方において対向している。
【００３９】
搬送路４５の上端部におけるプリフォーム供給装置３と連結しているプリフォーム導入部４１には、図２及び図６に示すように、搬送用ロール４５ｂ、４５ｂの端部上方に達するＵ字状樋４５ｋが設けられている。プリフォーム供給装置３から供給されたプリフォームは、前記Ｕ字状樋４５ｋに落下し、さらに、ガイドレール４５ｈに落とし込まれ、ガイドレール４５ｈによって搬送用ロール４５ｂ、４５ｂの間に案内される。
【００４０】
搬送用ロール４５ｂ、４５ｂの間に案内されたプリフォームは、プリフォームの胴体部が挿入され、サポートリング部が搬送用ロール４５ｂ、４５ｂに係止することによって懸垂状態で搬送される。しかしながら、全てのプリフォームが、口部を上方に向け胴体部の底部を下に向けた懸垂状態の正しい搬送姿勢で搬送用ロール４５ｂ、４５ｂに挿入されるとは限らない。
【００４１】
次に、プリフォームが搬送用ロール４５ｂ、４５ｂにより搬送されるプリフォームの状態について説明する。図８に示すように、通常は、プリフォームＰ１のように、頭部Ｐａの口部Ｐｂを上に向け、胴部Ｐｃを搬送用ロール４５ｂ、４５ｂの間に挿入し、サポートリング部Ｐｄを搬送用ロール４５ｂ、４５ｂに係止させることによって懸垂状態となって搬送される。
【００４２】
一方、胴体部Ｐｃが搬送用ロール４５ｂ、４５ｂの間に挿入されずに正しい搬送姿勢とならない場合もある。例えば、プリフォームＰ２のように、搬送用ロール４５ｂ、４５ｂの軸に対して水平に跨った状態となる場合もあるし、プリフォームＰ３のように、搬送用ロール４５ｂ、４５ｂの軸に対して同一方向となり挟まれた状態となる場合もある。さらに、サポートリング部Ｐｄが搬送用ロール４５ｂ、４５ｂに係止して懸垂状態となっているが、二つのプリフォームが重なったプリフォームＰ４となる場合もある。
【００４３】
通常は、胴体部Ｐｃが搬送用ロール４５ｂ、４５ｂの間に位置すると、その隙間から落ち込みサポートリング部Ｐｄが係止するので口部Ｐｂが上方を向いた正しい搬送姿勢となる。上記プリフォームＰ２，Ｐ３のような不正な搬送姿勢となるのは、前後をプリフォームＰ１に挟まれて固定された状態の場合である。プリフォームＰ２，Ｐ３及びＰ４のように、正しい搬送姿勢となっていないプリフォームは延伸ブロー成形機に供給することはできない。そこで、プリフォーム整列搬送装置４は、プリフォーム整列部４２及びプリフォーム除去部４３を備えている。
【００４４】
プリフォーム整列部４２は、図３及び図９に示すように、搬送用ロール４５ｂ、４５ｂの間を上方から塞ぐ邪魔板４２ａを有している。前記邪魔板４２ａの先端底面は、プリフォームＰ１の口部上面より僅かに上方に位置し、プリフォームＰ１のように正しい搬送姿勢のプリフォームのみを通過させる。邪魔板４２ａは、プリフォームＰ２等によって押されると上端部の軸部４２ｂで回動して下流側に振れ、プリフォームＰ２の押し込みが解除されると元の位置に復帰し、振り子のように往復動するように形成されている。
【００４５】
搬送中のプリフォームＰ２が邪魔板４２ａに当接すると、邪魔板４２ａが下流方向に回動しながらプリフォームを搬送用ロール４５ｂ、４５ｂの間に落とし込み、プリフォームＰ１のように正しい搬送姿勢に矯正する。プリフォームが通過すると、邪魔板４２ａは復帰し、次の不正な搬送姿勢のプリフォームに備える。邪魔板４２ａを複数配設することによって、いずれかの邪魔板４２ａによってプリフォームＰ２等を正しい搬送姿勢のプリフォームＰ１に矯正することができる。
【００４６】
プリフォームＰ３，Ｐ４については、上記邪魔板４２ａによって正しい搬送姿勢に矯正できない場合がある。プリフォームＰ３は、搬送用ロール４５ｂ、４５ｂの間に軸方向に挟まれているために、邪魔板４２ａの先端下面よりも低い位置を通過することになり、邪魔板４２ａには当接しないからである。また、プリフォームＰ４の場合には、上段のプリフォームが邪魔板４２ａに当接するものの、上段のプリフォームが下段のプリフォームから外れないで傾くだけで通過することがあるからである。
【００４７】
さらに、不正な搬送姿勢のプリフォームとして、例えば、図９に示すように、口部Ｐｂは上方を向いているが、前後のプリフォームに挟まれてサポートリング部Ｐｄが前後のプリフォームの口部Ｐｂに係止した状態で搬送されるプリフォームＰ５がある。このようなプリフォームＰ５の場合も邪魔板４２ａには当接するものの、前後がプリフォーム１に挟まれているのでそのまま邪魔板４２ａを押しながら搬送される。プリフォームＰ５が通過して邪魔板４２ａの押込みが解除されると、解除された邪魔板４２ａは元の位置に復帰する。
【００４８】
上記のようなプリフォームＰ５の場合は、正しい搬送姿勢のプリフォームＰ１に矯正することが必要である。そこで、図９及び図１１に示すように、２本の搬送用ロール４５ｂ、４５ｂの間に位置し、搬送方向の前方から上流側に向かって噴射するエアーブローノズル４６を配置することが好ましい。エアーブローノズル４６は、２本のプリフォームに係止されたプリフォームＰ５が検知装置で検知されると、検知されたプリフォームＰ５の次のプリフォームＰ１に向かってエアーを噴射する。
【００４９】
エアーが噴射されると、図９に点線で示すように、後方のプリフォームＰ１の搬送が一時停止される。後方のプリフォームの搬送が一次停止されると、プリフォームＰ５との間に隙間ができ、プリフォームＰ５の係止状態は解除されるから、プリフォームＰ５が落下し正常な搬送姿勢となる。従って、２本のプリフォームに係止された状態のプリフォームは、除去することなく正常な搬送姿勢に戻してやればよい。
【００５０】
不正な搬送姿勢のプリフォームＰ５は、検知装置によって検知される。検知装置４６ａは、例えば図１１に示す光電センサ４６ａ１と対向する側の側壁に設けられた反射板４６ａ２によって構成することができる。光電センサ４６ａ１から発射されている光が遮られて反射板４６ａ２で受光されないと、不正な搬送姿勢のプリフォームＰ５とみなしてエアーブローノズル４６からエアーを噴射する。エアーブローノズル４６からのエアーは、検知したプリフォームＰ５の次のプリフォームＰ１に向かって噴射される。
【００５１】
次いで、不正な搬送姿勢のまま邪魔板４２ａを通過したプリフォームＰ３，Ｐ４を除去するプリフォーム除去部４３について説明する。プリフォーム除去部４３については、図３及び図１２〜図１６に示す。まず、プリフォームＰ３のように、搬送用ロール４５ｂ、４５ｂの間に軸方向に挟まれているプリフォームは、邪魔板４２ａの下面を通過し、胴体部Ｐｃの底面が搬送用ロール４５ｂ、４５ｂより下方に突出しない。そこで、これらのプリフォームを検知して除去するプリフォーム除去部４３が設けられている。
【００５２】
プリフォーム除去部４３は、検知手段４７Ａと排出手段４７Ｂを備えている。検知手段４７Ａは、搬送用ロール４５ｂ、４５ｂから突出しているプリフォームの有無を検知する検知装置４７ａと、搬送用ロール４５ｂ、４５ｂの下面から突出しているプリフォームの有無を検知する検知装置４７ｂと、搬送用ロール４５ｂ、４５ｂの間にプリフォームがあるかどうかを検知する検知装置４７ｃとからなる。排出手段４７Ｂは、搬送用ロール４５ｂ、４５ｂの間に挟まれているプリフォームＰ３を下方から吹き飛ばすとエアブローノズル４７ｄと、２個以上のプリフォームが嵌合して積み重なっているプリフォームＰ４を吹き飛ばすエアーブローノズル４７ｅとからなる。
【００５３】
搬送路４５において、プリフォーム除去部４３が設けられている範囲には、除去されたプリフォームを回収するプリフォーム回収箱４８が設置されている。前記プリフォーム回収箱４８の上面４８ａは開口しており、吹き飛ばされたプリフォームをガイドする傾斜板４８ｂが配置されている。前記傾斜板４８ｂは、プリフォーム回収箱を設置する側の搬送路４５の側壁の上部を切り欠いて、その上端に載置されており、一方の側端が搬送用ロール４５ｂに近接し、他方の側端がプリフォーム回収箱４８の内側に達している（図１４及び図１６参照)。
【００５４】
次いで、検知装置４７ａは、搬送路４５の側壁に設けられた光電センサ４７ａ１と、対向する側のプリフォーム回収箱４８の側壁に設けられた反射板４７ａ２によって構成されている。光電センサ４７ａ１から発射されている光が遮られて反射板４７ａ２で受光されないと、不正な搬送姿勢のプリフォームＰ２，Ｐ４とみなしてエアーブローノズル４７ｅからエアーを噴射して除去する。
【００５５】
また、検知装置４７ｂは、図１４及び図１５に示すように、搬送路４５の側壁に設けられた光電センサ４７ｂ１と、前記光電センサ４７ｂ１側とは反対側の搬送用ロール４５ｂの下方内側に進退する反射板４７ｂ２によって構成されている。前記反射板４７ｂ２は、一対のガイド部材４７ｂ３の一方側に取り付けられており、前記一対のガイド部材には光電センサ４７ｂ１からの光を通過させるスリット４７ｂ４が穿設されている。
【００５６】
また、一対のガイド部材４７ｂ３は、プリフォームの種類によって取り替えられるように、エアーシリンダー４７ｂ５のロッドに連結されている。前記構成の検知装置４７ｂにおいて、光電センサ４７ｂ１からの光がスリット４７ｂ４を通過して反射板４７ｂ２で受光されると、プリフォームがないと判断される。
【００５７】
さらに、検知装置４７ｃは、搬送路４５の上方に設置された光電センサ４７ｃ１と、搬送用ロール４５ｂ、４５ｂの下方に設置された反射板４７ｃ２によって構成されている。光電センサ４７ｃ１の光は、搬送用ロール４５ｂ、４５ｂの間を通って反射板４７ｃ２で受光され、所定時間受光が遮られると、プリフォームＰ３と判断してエアーブローノズル４７ｄからエアーを噴射して除去する。
【００５８】
上記プリフォーム除去部４３の作用について説明すると、正しい搬送姿勢のプリフォームＰ１は、検知手段４７ａによっては検知されないが、不正な搬送姿勢のプリフォームＰ２，Ｐ４は検知されることになり、エアーブローノズル４７ｅからのエアーの噴射によって除去される。また、検知手段４７ａ及び検知手段４７ｂによって検知されないが、検知手段４７ｃによって検知されたプリフォームＰ３は、上向きに設置されたエアーブローノズル４７ｄからのエアーの噴射によって除去される。
【００５９】
前記エアーブローノズル４７ｄによって吹き飛ばされたプリフォームＰ３の損傷を防ぐために、図１３及び図１４に示すように、上方に緩衝膜４７ｆが設けられている。吹き飛ばされたプリフォームＰ３は緩衝膜４７ｆによってその勢が弱められてプリフォーム回収箱４８に収納される。プリフォーム回収箱４８内に落下したプリフォームは、図示しないコンベア装置等によって回収され、プリフォーム供給装置３に再投入される。
【００６０】
次に、ロール回転調整部４４について説明する。ロール回転調整部４４は、図３及び図１７に示す。ロール回転調整部４４は、搬送路４５の下流側に設けられ、所定量のプリフォームを延伸ブロー成形機に送るように、搬送用ロール４５ｂ、４５ｂの回転速度とベルトC/V３３の速度を調節するものである。前記ロール回転調整部４４は、低速検知センサ５１と高速検知センサ５２と能力ローラ停止検知センサ５３とからなる。
【００６１】
前記低速検知センサ５１は、所定時間内のプリフォームの通過量が多く、搬送用ロール４５ｂの回転が低速であると判断すると、ギヤードモータ４５ｄと３５の回転速度を下げるように指示する。また、前記高速検知センサ５２は、所定時間内のプリフォームの通過量が少ないと判断すると、ギヤードモータ４５ｄと３５の回転速度を上げるように指示する。さらに、下限検知センサ５３が、プリフォームなしと判断すると、ギヤードモータ６５の回転を停止させるが、桟付ベルトコンベア２及びプリフォーム供給装置３の稼動は運転状態とする。
【００６２】
能力ローラ停止検知センサ５３が、延伸ブロー成形機及び延伸ブロー成形機までの搬送途中においてトラブルが発生したことを検知した場合には、ギヤードモータ４５ｄの回転を停止させると共に、プリフォーム搬送部１、桟付ベルトコンベア２及びプリフォーム供給装置３の稼動を停止させる。
【００６３】
次に、プリフォーム供給量規制装置６の構成を図１７〜図２０に基づいて説明する。プリフォーム供給量規制装置６は、延伸ブロー成形機へのプリフォームの供給量を一定に保持するものであって、搬送路４５の先端部に接続されているレール６１、６１と回転する能力ローラ６２、６２とからなる。レール６１、６１は、プリフォームＰ１の胴体部Ｐｃを挿入し、サポートリング部Ｐｄが係止される間隔に形成されており、下流側に向かって下向きに傾斜している。
【００６４】
レール６１、６１の上流側の上端部は搬送用ロール４５ｂ、４５ｂに近接しており、レール６１、６１の間隔は搬送用ロール４５ｂ、４５ｂの間隔とほぼ同じであって、搬送されてきたプリフォームの受け渡しが行われる。レール６１、６１の上方にはプリフォームを強制的にレール６１、６１に押し込むためのエアーブローノズル６３が配設されている。エアーブローノズル６３からのエアーによって強制的にレールに押し込まれたプリフォームＰ１はレール６１、６１上を滑り落ちていく。
【００６５】
レール６１、６１の下流側端部はプリフォームの受け渡しが可能なように能力ローラ６２、６２に近接しており、能力ローラ６２，６２は、レール６１，６１とほぼ同じ角度で傾斜している。レール６１，６１の上面は、能力ローラ６２，６２の下面に達しており、能力ローラ６２，６２は、プリフォームの頭部Ｐａを挟み込むことができる位置に配置されている。
【００６６】
能力ローラ６２，６２は、図１９に示すように、プリフォームＰ１の頭部Ｐａを挟み込むことができるように所定の間隔を開けて対向しており、互いに反対方向に回転する。能力ローラ６２，６２の外周面にはプリフォームを保護すると共にすべりを防止するために弾性材による丸ベルト６２ａが巻回されている。従って、前記能力ローラ６２，６２は、レール６１、６１からのプリフォームを回転しながら挟み込んで送り出すことができる。
【００６７】
前記能力ローラ６２，６２の回転軸６５には平歯車６４、６４が取り付けられており、一方側の回転軸６５がギヤードモータ６５によって駆動される。前記平歯車６４，６４はそれぞれ噛合する平歯車６４ａ，６４ａを介して回転する。即ち、図１８に示すように、ギヤードモータ６５によって平歯車６４が回転すると、噛合する平歯車６４ａ，６４ａが回転し、一方の平歯車６４ａが他方の平歯車６４を回転させるので、同時に他方の回転軸に取り付けられた能力ローラ６２が回転する。平歯車６４、６４は、２個の平歯車６４ａ、６４ａを介することによって、能力ローラ６２，６２を互いに反対方向に回転することになる。
【００６８】
前記能力ローラ６２，６２は、一定の速度で回転することによって設定された量のプリフォームを延伸ブロー成形機に供給することができる。能力ローラ６２，６２が一定の速度で一定量を供給することにより、延伸ブロー成形機の過剰な供給や供給不足が生じることがなく延伸ブロー成形機を効率よく、しかも安定して稼動させることができる。
【００６９】
また、プリフォームは、エアーブローノズル６３のエアーによって押されて、レール６１，６１上を滑り落ちることになるので、胴体部が振り子のように前後に揺れながら滑り落ちることになる。能力ローラ６２，６２で受け取ることにより、プリフォームの揺れを防止することができる。従って、プリフォームは、垂直に垂下した状態を保持したまま延伸ブロー成形機に搬送することができる。
【符号の説明】
【００７０】
Ｐ：プリフォーム  
Ｐａ：頭部  
Ｐｂ：口部  
Ｐｃ：胴体部  
Ｐｄ：サポートリング部
1：プリフォーム搬送部  
２：桟付ベルトコンベア
３：プリフォーム供給装置  
４：プリフォーム整列搬送装置  
５：ロール回転調整部
６：プリフォーム供給量規制装置
１１：コンテナー反転装置  
１１ａ：ボックス型収納枠体
１１ｂ：回転軸  
１２：コンベア装置
１３：収納箱  
３１：ベルトコンベア
３２：シューター
３２ａ：下限検知センサ
３２ｂ：高速検知センサ
３２ｃ：低速検知センサ
３２ｄ：満杯検知センサ
３３：ベルトコンベア
３４、３５：モータ
４１：プリフォーム導入部
４２：プリフォーム整列部
４２ａ：邪魔板
４３：プリフォーム除去部
４４：ロール回転調整部
４５：搬送路
４５ａ：搬送路
４５ｂ：搬送用ロール
４５ｃ：タイミングプーリ
４５ｄ：ギヤーモータ
４５ｅ：タイミングプーリ
４５ｆ：タイミングベルト
４５ｇ：ガイドレール
４５ｈ：Ｕ字状樋
４６：エアーブローノズル
４７：除去手段
４７Ａ：検知手段
４７Ｂ：排出手段
４７ａ、４７ｂ、４７ｃ：検知装置
４７ｄ、４７ｅ：エアーブローノズル
４８：プリフォーム回収箱
５１：低速検知センサ
５２：高速検知センサ
５３：ローラ停止検知センサ
６１：レール  
６２：能力ローラ  
６３：エアーブローノズル
６４：平歯車
【図１】
2015112840.tif 000003
【図２】
2015112840.tif 000004
【図３】
2015112840.tif 000005
【図４】
2015112840.tif 000006
【図５】
2015112840.tif 000007
【図６】
2015112840.tif 000008
【図７】
2015112840.tif 000009
【図８】
2015112840.tif 000010
【図９】
2015112840.tif 000011
【図１０】
2015112840.tif 000012
【図１１】
2015112840.tif 000013
【図１２】
2015112840.tif 000014
【図１３】
2015112840.tif 000015
【図１４】
2015112840.tif 000016
【図１５】
2015112840.tif 000017
【図１６】
2015112840.tif 000018
【図１７】
2015112840.tif 000019
【図１８】
2015112840.tif 000020
【図１９】
2015112840.tif 000021
【図２０】
2015112840.tif 000022